【手続補正書】
【提出日】平成17年1月24日(2005.1.24)
【手続補正１】
【補正対象書類名】明細書
【補正対象項目名】発明の名称
【補正方法】変更
【補正の内容】
【発明の名称】番組データを処理する方法並びにシステム、および番組を記録する方法
【手続補正２】
【補正対象書類名】明細書
【補正対象項目名】特許請求の範囲
【補正方法】変更
【補正の内容】
【特許請求の範囲】
【請求項１】  番組ガイドに載せられた番組を記録するための番組データを処理する方法であって、
番組データをビデオ装置により受信するステップと、
番組ガイドの表示期間中、番組の選択と選択された番組の記録要求とをビデオ装置により受信するステップと、
前記選択された番組が既に進行中であるか否かをビデオ装置により判定し、前記選択された番組が既に進行中である場合、前記選択された番組全体が記録されるように前記選択された番組についてその後に放送されるものを記録する第１の選択肢と、前記選択された進行中の番組の残りの部分を記録する第２の選択肢とを提供するステップと、
を含む方法。
【請求項２】  番組ガイドに載せられた番組を記録するための番組データを処理するシステムであって、
番組データを受信する手段と、
番組ガイドを表示する手段と、
番組の選択と選択された番組の記録要求とを受信する手段と、
前記選択された番組が既に進行中であるか否かを判定する手段と、
を含み、
前記番組の選択と選択された番組の記録要求とを受信する手段が、番組ガイドの表示期間中に、番組の選択と選択された番組の記録要求とを受信し、前記選択された番組が既に進行中である場合、前記判定する手段が、前記選択された番組全体が記録されるように前記選択された番組についてその後に放送されるものを記録する第１の選択肢と、前記選択された番組の残りの部分を記録する第２の選択肢とを提供する、
システム。
【請求項３】  少なくとも番組用の番組データが受信されてチャンネル・ガイドが形成されるビデオ装置に於いて、そのチャンネル・ガイドに載せられた番組を記録する方法であって、
前記番組データを有するユーザのサーチ要求を受信するステップと、
前記ユーザのサーチ要求との一致を求めて前記番組データをサーチするステップと、
一致した番組データが見つかった場合、記録要求が入力されているか否かを判定し、見つかった番組データに対応する番組が進行中であるか否かを判定するステップと、
前記番組が既に進行中であり、且つ、前記記録要求が入力されている場合、前記見つかった番組全体が記録されるように前記見つかった番組についてその後に放送されるものを記録する第１の選択肢と、前記見つかった進行中の番組の残りの部分を記録する第２の選択肢とを提供するステップと、
を含む方法。
【手続補正３】
【補正対象書類名】明細書
【補正対象項目名】０００６
【補正方法】変更
【補正の内容】
【０００６】
従って、本発明の発明者は、特に、放送予定番組のアベイラビリティ（ａｖａｉｌａｂｉｌｉｔｙ）（利用の可能性）（視聴および／または記録が可能であること）についての情報が得られるチャンネル・ガイド（番組ガイド）の人気に照らして、上述の問題を解決することが望ましいと認識した。従って、本発明は、そのためのシステムと方法を提供するものであり、一実施形態に於いて、番組データを受信するステップと、番組の選択を受信するステップと、選択された番組の記録要求を受信するステップと、選択された番組が既に進行中であるか否かを判定し、選択された番組が既に進行中である場合、選択された番組全体が記録されるように、選択された番組についてその後に放送されるものを記録する選択肢を提供するステップと、を含んでいる。
【手続補正４】
【補正対象書類名】明細書
【補正対象項目名】０００７
【補正方法】変更
【補正の内容】
【０００７】
本発明の別の一実施形態として、ユーザが入力した要求を受信するステップと、ユーザが入力した要求との一致を求めて番組データをサーチするステップと、一致した番組が見つかった場合、その見つかった番組が進行中であるか否かを判定するステップと、見つかった番組が既に進行中である場合、見つかった番組全体が記録されるように、見つかった番組についてその後に放送されるものを記録する選択肢を提供するステップと、を含む方法が提供される。
【手続補正５】
【補正対象書類名】明細書
【補正対象項目名】０００８
【補正方法】変更
【補正の内容】
【０００８】
更に、本発明の装置、および、方法は、オン・スクリーン表示、或いは、その他の手段によって、番組の利用の可能性を視聴者に知らせることも出来る。番組リストに番組説明テキストが伴う場合、本発明の装置は、サーチ条件、例えば、番組のタイトル、出演者、ディレクタ、或いは、コンテキスト（前後関係、文脈、背景、状況）に関する特定のテキスト列（文字列）を求めてその番組説明テキストをサーチする。
特許請求の範囲と実施例との対応関係を実施例で使われている参照符号を用いて示すと以下の通りである。
（請求項１）  番組ガイドに載せられた番組を記録するための番組データを処理する方法であって、
番組データをビデオ装置により受信するステップと、
番組ガイドの表示期間中、番組の選択と選択された番組の記録要求とをビデオ装置により受信するステップ（７６０）と、
前記選択された番組が既に進行中であるか否かをビデオ装置により判定し（７３０）、前記選択された番組が既に進行中である場合、前記選択された番組全体が記録されるように前記選択された番組についてその後に放送されるものを記録する第１の選択肢と、前記選択された進行中の番組の残りの部分を記録する第２の選択肢とを提供するステップ（７４５）と、
を含む方法。
（請求項２）  番組ガイドに載せられた番組を記録するための番組データを処理するシステムであって、
番組データ（４００Ａ）を受信する手段と、
番組ガイドを表示する手段と、
番組の選択と選択された番組の記録要求とを受信する手段（４１２Ｒ）と、
前記選択された番組が既に進行中であるか否かを判定する手段（４１５Ｒ）と、
を含み、
前記番組の選択と選択された番組の記録要求とを受信する手段が、番組ガイドの表示期間中に、番組の選択と選択された番組の記録要求とを受信し、前記選択された番組が既に進行中である場合、前記判定する手段が、前記選択された番組全体が記録されるように前記選択された番組についてその後に放送されるものを記録する第１の選択肢と、前記選択された番組の残りの部分を記録する第２の選択肢とを提供する（２００）、
システム。
（請求項３）  少なくとも番組用の番組データが受信されてチャンネル・ガイドが形成されるビデオ装置に於いて、そのチャンネル・ガイドに載せられた番組を記録する方法であって、
前記番組データを有するユーザのサーチ要求を受信するステップ（７０５）と、
前記ユーザのサーチ要求との一致を求めて前記番組データをサーチするステップ（７１０、７１５）と、
一致した番組データが見つかった場合、記録要求が入力されているか否かを判定し、見つかった番組データに対応する番組が進行中であるか否かを判定するステップ（７３０）と、
前記番組が既に進行中であり、且つ、前記記録要求が入力されている場合、前記見つかった番組全体が記録されるように前記見つかった番組についてその後に放送されるものを記録する第１の選択肢と、前記見つかった進行中の番組の残りの部分を記録する第２の選択肢とを提供するステップ（７４５）と、
を含む方法。
【手続補正６】
【補正対象書類名】明細書
【補正対象項目名】００２７
【補正方法】変更
【補正の内容】
【００２７】
ゴーファ・プログラムは、図７のステップ７００から起動される。ステップ７０５に於いて、サーチ語が取り込まれる。ステップ７１０に於いて、番組ガイド・データが取得される。ステップ７１５に於いて、比較により、一致が有るか否かを判定する。無ければ、このプログラムは、ステップ７２０に於いて、終了する。一致が有る場合、ユーザが入力した命令が取り込まれる。ステップ７２５に於いて、記録命令が入力されているか否かを判定するチェックが行われる。記録命令が入力されている場合、このルーチンはステップ７３０に進み、記録しようとする番組が進行中であるか否かを判定する。記録命令が入力されていない場合、このルーチンはステップ７３５に進み、このステップで、リマインダ・メッセージが生成されて、オン・スクリーン表示されるか、或いは、その他の手段、例えば、電子メールで送られる。これは、即刻または後程所望の番組が放送される前の適切な時点で、或いは、その両方で、「最新リマインダ」として行われる。このルーチンは、ステップ７４０に於いて、終了する。
【手続補正７】
【補正対象書類名】明細書
【補正対象項目名】００２８
【補正方法】変更
【補正の内容】
【００２８】
ステップ７３０に於いて、記録しようとする番組が進行中であると判定された場合、このルーチンは、ステップ７４５に進み、このステップに於いて、現在放送されている番組の残りの部分を記録するか、或いは、その番組のその後の放送に同調を取り、それを記録するスケジュール設定を行って、その番組放送全体を記録できるようにするかの選択を、ユーザに、オン・スクリーン表示を介して、或いは、その他の手段によって、提供する。１つの実施例では、所望の番組の上記「その後の放送」は、その番組の次回の放送である。
【手続補正８】
【補正対象書類名】明細書
【補正対象項目名】００３０
【補正方法】変更
【補正の内容】
【００３０】
また、ステップ７３０に於いて、記録しようとする番組が進行中でないと判定された場合、このルーチンはステップ７５０に進み、このステップに於いて、上述の如く、記録コマンドが、番組を記録するために、ＶＣＲに送信され、次に、ステップ７４０に於いて、このルーチンは終了する。
【手続補正９】
【補正対象書類名】明細書
【補正対象項目名】００３１
【補正方法】変更
【補正の内容】
【００３１】
更に、ステップ７６０に示すように、また、前にも述べたように、ユーザは、番組を記録するために、例えば、リモートコントロール装置４５０Ｒ上の選択キーと記録キーを使用して、直接、番組ガイドからその番組を選択することも出来る。次に、ステップ７３０に於いて、この番組が既に進行中であるか否かが判定され、更に、上述の如く各ステップに於いて、それぞれの処理が行われる。